(57)【要約】【課題】１個の検知装置で、蓋の開閉状態及び蓋のロック状態を検知できる蓋ロック装置及びその蓋ロック装置を備えた洗濯機の提供。【解決手段】上記課題は、本体ケース２と、電磁プランジャ装置３と、機器に設けた蓋のロック及びそのロックの解除を可能にするロック部材５と、電磁プランジャ装置３のプランジャ部材３Ｂの往復動に連動してロック部材５を往復動させる従動機構６とを備え、プランジャ部材３Ｂの往復動により、ロック部材５の一端部を本体ケース２の開口２Ａから出没させるものにおいて、機器に設けた蓋の開閉やプランジャ部材３Ｂの往復動によってインダクタンスが変化する巻線コイルとこの巻線コイルに並列接続したコンデンサとから形成される発振器によって蓋の開閉状態及び蓋のロック及びそのロック解除の状態を検知する検知装置７を設けることで、解決できる。【選択図】図１
2005155175.tif 000002
【特許請求の範囲】
【請求項１】
本体ケースと、電磁コイル部及びプランジャ部材からなる電磁プランジャ装置と、機器に設けた蓋のロック及びそのロックの解除を可能にするロック部材と、前記電磁プランジャ装置のプランジャ部材の往復動に連動して前記ロック部材を往復動させる従動機構とを備え、前記電磁プランジャ装置のプランジャ部材を往復動させることにより、前記ロック部材の一端部を前記本体ケースの開口から出没させるようにした蓋ロック装置において、前記機器に設けた蓋の開閉や前記プランジャ部材の往復動によってインダクタンスが変化する巻線コイルと、この巻線コイルに並列接続したコンデンサとから形成される発振器により、蓋の開閉状態及びロック部材による蓋のロック及びそのロック解除の状態を検知する検知装置を設けたことを特徴とする蓋ロック装置。
【請求項２】
前記本体ケース内に、前記電磁プランジャ装置のプランジャ部材の往復動の方向と前記ロック部材の往復動の方向が略同一方向となるように、前記電磁プランジャ装置と前記ロック部材と前記従動機構を収納すると共に、前記電磁プランジャ装置のプランジャ部材の先端部が前記巻線コイル内に嵌合するように前記検知装置を配置したことを特徴とする請求項１記載の蓋ロック装置。
【請求項３】
前記検知装置は、前記本体ケースの前記ロック部材の一端部が出没する側面と同一側面に装着可能なコイルケースと、このコイルケース内底から突出する筒部の外周に巻装された巻線コイルと、前記巻線コイルに隣接して前記コイルケース内に設置されたコンデンサと、前記コイルケース内底から鉛直方向に延びる２個の発振回路用端子片とからなり、これら２個の発振回路用端子片に、前記巻線コイルと前記コンデンサのＬＣ発振回路が形成されるように前記巻線コイル及び前記コンデンサを接続する構成とし、しかも、前記プランジャ部材が前記電磁コイル部に吸引された状態では、前記巻線コイル外方に前記プランジャ部材の先端部を位置させると共に、前記プランジャ部材が前記電磁コイル部に吸引されない状態では、前記巻線コイル内方に、前記プランジャ部材の先端部を位置させるようにしたことを特徴とする請求項２記載の蓋ロック装置。
【請求項４】
前記本体ケースは、下ケースとこの下ケースに着脱可能に設けた上ケースとからなり、前記下ケース側に、前記電磁プランジャ装置、前記ロック部材、前記従動機構及び前記検知装置を取り外し可能に装着すると共に、下ケース内底には、前記検知装置が収納されて前記検知装置の２個の発振回路用端子片が前記プランジャ部材の長手方向に沿って延びることを可能にした収納凹部を形成し、しかも、前記電磁プランジャ装置の電磁コイル部に接続される２個の電磁コイル用端子片を、前記発振回路用端子片と同一方向に延在させるようにしたことを特徴とする請求項３記載の蓋ロック装置。
【請求項５】
前記従動機構は、一端側に前記ロック部材下面に形成した円筒突出体に嵌合するところの嵌合長穴を形成し、かつ、他端側に前記下ケースの内底から突出形成された支軸体に嵌合するところの嵌合円穴を形成した操作レバーと、一端側には前記プランジャ部材に設けた嵌合穴に嵌合する突起体を設け、かつ、他端側には下ケースの内側壁に前記プランジャ部材の長手方向に延びるように形成された横長溝に嵌合するフランジを設けたプランジャレバーと、このプランジャレバーを前記電磁プランジャ装置の電磁コイル部側から離れる方向に付勢させた戻しばねと、前記ロック部材の往復動の方向に対して直角方向に摺動可能となるように、前記ロック部材下方に位置する前記下ケース内底に設けたハートカムとを含み、前記ロック部材下面に形成した円筒突出体に設けたピンの先端が前記ハートカムの段差面を摺動することにより前記ロック部材の一端部が前記本体ケースの開口から出た状態の保持及びその保持の解除を行うようにすると共に、操作レバーの他端側から前記横長溝に向って伸びる係合部材を、プランジャレバーのフランジに形成した係合切欠きに係合させてなることを特徴とする請求項１、２、３若しくは４記載の蓋ロック装置。
【請求項６】
前記ロック部材を、着脱自在に、かつ、摺動自在に保持する一対の保持爪と、前記ロック部材の前記本体ケース内への入り過ぎを阻止する阻止体とを、前記下ケースの内底に一体成形したことを特徴とする請求項４若しくは５記載の蓋ロック装置。
【請求項７】
前記ロック部材の往復動の方向に対して直角方向に摺動可能となるように前記下ケース内底に、前記ハートカムを配設し、この前記ハートカムの段差面を前記ピンの先端が摺動することにより、前記ロック部材の一端部が前記本体ケースの開口から出た状態の保持及びその保持の解除を行うようにしたことを特徴とする請求項５乃至６記載の蓋ロック装置。
【請求項８】
前記収納凹部は、前記プランジャ部材の下方に位置する前記下ケース内底部分に形成され、その収納凹部内底に前記支軸体を形成したことを特徴とする請求項５乃至７記載の蓋ロック装置。
【請求項９】
コイルケースと、このコイルケース内底から突出する筒部の外周に巻装された巻線コイルと、前記巻線コイルに隣接して前記コイルケース内に設置されたコンデンサと、前記コイルケース内底から鉛直方向に延びる２個の発振回路用端子片とからなり、これら２個の発振回路用端子片に、前記巻線コイルと前記コンデンサのＬＣ発振回路が形成されるように前記巻線コイル及び前記コンデンサを接続する構成とした検知装置であって、この検知装置を蓋ロック装置の本体ケースに脱着可能に取り付けるようにしたことを特徴とする蓋ロック装置用検知装置
【請求項１０】
外枠に設けた衣類投入口を開閉する衣類投入口用蓋体と、その衣類投入口用蓋体のロック及びそのロックの解除を可能にする蓋ロック装置とを少なくとも備え、前記蓋ロック装置は、本体ケースと、電磁コイル部及びプランジャ部材からなる電磁プランジャ装置と、前記衣類投入口用蓋体のロック及びそのロックの解除を可能にするロック部材と、前記電磁プランジャ装置のプランジャ部材の往復動に連動して前記ロック部材を往復動させる従動機構とを含み、前記電磁プランジャ装置のプランジャ部材を往復動させることで、前記ロック部材の一端部を前記本体ケースの開口から出没させると共に、その出没する前記ロック部材の一端部が出入する係止開口を前記衣類投入口用蓋体に設けるようにした洗濯機において、前記衣類投入口用蓋体の開閉や前記プランジャ部材の往復動によってインダクタンスが変化する巻線コイルと、この巻線コイルに並列接続したコンデンサとから形成される発振器により、前記衣類投入口用蓋体の開閉状態及びロック部材による前記衣類投入口用蓋体のロック及びそのロック解除の状態を検知する検知装置を設けたことを特徴とする洗濯機。
【請求項１１】
外枠内に設けた脱水槽の上方に開口する衣類投入口を開閉する衣類投入口用蓋体と、その衣類投入口用蓋体のロック及びそのロックの解除を可能にする蓋ロック装置とを少なくとも備え、前記蓋ロック装置は、本体ケースと、電磁コイル部及びプランジャ部材からなる電磁プランジャ装置と、前記衣類投入口用蓋体のロック及びそのロックの解除を可能にするロック部材と、前記電磁プランジャ装置のプランジャ部材の往復動に連動して前記ロック部材を往復動させる従動機構とを含み、前記電磁プランジャ装置のプランジャ部材を往復動させることで、前記ロック部材の一端部を前記本体ケースの開口から出没させるようにした洗濯機において、前記検知装置は、前記本体ケースに装着可能なコイルケースと、このコイルケース内底から突出する筒部の外周に巻装された巻線コイルと、前記巻線コイルに隣接して前記コイルケース内に設置されたコンデンサと、前記コイルケース内底から鉛直方向に延びる２個の発振回路用端子片とからなり、これら２個の発振回路用端子片に、前記巻線コイルと前記コンデンサのＬＣ発振回路が形成されるように、前記巻線コイル及び前記コンデンサを接続する構成とし、しかも、前記プランジャ部材が前記電磁コイル部に吸引された状態では、前記巻線コイル外に前記プランジャ部材の先端部を位置させると共に、前記プランジャ部材が前記電磁コイル部に吸引されない状態では、前記巻線コイル内に前記プランジャ部材の先端部を位置させると共に、前記蓋体が閉じた際、前記衣類投入口用蓋体側に設けた磁性部（鉄片）により、前記巻線コイルのインダクタンスが変化するように、前記コイルケースに前記衣類投入口用蓋体側の磁性部を近接させることを特徴とする洗濯機。
【発明の詳細な説明】
【技術分野】
【０００１】
本発明は、蓋ロック装置、蓋ロック装置用検知装置及び蓋ロック装置を備えた洗濯機に関するものである。
【背景技術】
【０００２】
この種の従来技術として、本体ケースと、電磁コイル部及びプランジャ部材からなる電磁プランジャ装置と、洗濯機における衣類投入口用蓋体のロック及びそのロックの解除を可能にするロック部材と、電磁プランジャ装置のプランジャ部材の往復動に連動してロック部材を往復動させる従動機構と、衣類投入口用蓋体の開閉を検出するリードスイッチとを備え、電磁プランジャ装置のプランジャ部材を往復動させることで、ロック部材の一端部を本体ケースの開口から出没させるようにすると共に、ロック部材の一端部が本体ケースの開口から出没しているか否かを検出する一対の接点及び接片からなるスイッチを設けるようにした蓋ロック装置が知られていた（例えば、特許文献１参照）。
【特許文献１】特開２００３―２９０５９３号公報（段落番号００１０〜００２９、図３）
【発明の開示】
【発明が解決しようとする課題】
【０００３】
しかしながら、上記した従来の蓋ロック装置は、衣類投入口用蓋体の開閉状態を検知するリードスイッチと、ロック部材による蓋のロック及びそのロック解除の状態を検知する一対の接点及び接片からなるスイッチとの、２種類のスイッチを設ける構成であり、リードスイッチを電源に接続するための端子片及びリード線、接点及び接片からなるスイッチを電源に接続するための端子片及びリード線並びに電磁プランジャ装置の電磁コイル部を電源に接続するための端子片及びリード線が必要であって、しかも、それら端子片及びリード線を、電磁プランジャ装置、リードスイッチ並びに接点及び接片からなるスイッチが収納される本体ケースの三方向から取り出されるものである。
そのために、上記した従来の蓋ロック装置では、２種類のスイッチを必要とし、部品点数が多くなると共に、端子片及びリード線の本数が多く、その取り付け作業工程が多くなるので、生産性が悪く、しかも、端子片及びリード線が本体ケースの三方向から取り出されるので、蓋ロック装置を機器に取り付けてその機器の制御基板などに設けた電源回路と蓋ロック装置から引き出されるリード線を接続する場合、その接続作業の作業性が悪いという問題点がある。その上、一対の接点及び接片からなるスイッチであるので、接点の表面に絶縁皮膜が生成されたり、あるいは湿気の高い環境では接点間に結露が発生したりすることがあるため、蓋ロック装置が誤動作してしまうことがあるという問題点がある。
【０００４】
本発明の第１目的は、上記の問題点にかんがみ、２種類のスイッチを設けることなく、１個の検知装置で、蓋の開閉状態及びロック部材による蓋のロック及びそのロック解除の状態を検知できるようにした蓋ロック装置を提供することにある。
【０００５】
本発明の第２目的は、上記第１目的を達成する蓋ロック装置に使用するのに好適な蓋ロック装置用検知装置を提供することにある。
【０００６】
本発明の第３目的は、１個の検知装置で、蓋の開閉状態及びロック部材による蓋のロック及びそのロック解除の状態を検知できる蓋ロック装置を備えた洗濯機を提供することにある。
【課題を解決するための手段】
【０００７】
上記第１目的を達成するために、本発明は、本体ケースと、電磁コイル部及びプランジャ部材からなる電磁プランジャ装置と、機器に設けた蓋のロック及びそのロックの解除を可能にするロック部材と、前記電磁プランジャ装置のプランジャ部材の往復動に連動して前記ロック部材を往復動させる従動機構とを備え、前記電磁プランジャ装置のプランジャ部材を往復動させることにより、前記ロック部材の一端部を前記本体ケースの開口から出没させるようにした蓋ロック装置において、前記機器に設けた蓋の開閉や前記プランジャ部材の往復動によってインダクタンスが変化する巻線コイルと、この巻線コイルに並列接続したコンデンサとから形成される発振器により、蓋の開閉状態及びロック部材による蓋のロック及びそのロック解除の状態を検知する検知装置を設けたことを特徴としている。
【０００８】
上記第２目的を達成するために、本発明は、コイルケースと、このコイルケース内底から突出する筒部の外周に巻装された巻線コイルと、前記巻線コイルに隣接して前記コイルケース内に設置されたコンデンサと、前記コイルケース内底から鉛直方向に延びる２個の発振回路用端子片とからなり、これら２個の発振回路用端子片に、前記巻線コイルと前記コンデンサのＬＣ発振回路が形成されるように前記巻線コイル及び前記コンデンサを接続する構成とした検知装置であって、この検知装置を蓋ロック装置の本体ケースに脱着可能に取り付けることを特徴としている。
【０００９】
上記第３目的を達成するために、本発明は、外枠に設けた衣類投入口を開閉する衣類投入口用蓋体と、その衣類投入口用蓋体のロック及びそのロックの解除を可能にする蓋ロック装置とを少なくとも備え、前記蓋ロック装置は、本体ケースと、電磁コイル部及びプランジャ部材からなる電磁プランジャ装置と、前記衣類投入口用蓋体のロック及びそのロックの解除を可能にするロック部材と、前記電磁プランジャ装置のプランジャ部材の往復動に連動して前記ロック部材を往復動させる従動機構とを含み、前記電磁プランジャ装置のプランジャ部材を往復動させることにより、前記ロック部材の一端部を前記本体ケースの開口から出没させると共に、その出没する前記ロック部材の一端部が出入する係止開口を前記衣類投入口用蓋体に設けるようにした洗濯機において、前記衣類投入口用蓋体の開閉や前記プランジャ部材の往復動によってインダクタンスが変化する巻線コイルと、この巻線コイルに並列接続したコンデンサとから形成される発振器により、前記衣類投入口用蓋体の開閉状態及びロック部材による前記衣類投入口用蓋体のロック及びそのロック解除の状態を検知する検知装置を設けたことを特徴としている。
【発明の効果】
【００１０】
上記本発明によれば、リードスイッチと一対の接点及び接片からなるスイッチという２種類のスイッチを用いることなく、１個の検知装置で、蓋の開閉状態及びロック部材による蓋のロック及びそのロック解除の状態を検知できるので、生産性及び接続作業性が優れ、かつ、誤動作の少ない蓋ロック装置が得られた。
【００１１】
上記本発明によれば、検知装置が故障した場合に蓋ロック装置全体を交換するのではなく、故障した検知装置のみを交換すればよいと共に、故障した検知装置を蓋ロック装置から取り出して修理点検を行うことができる蓋ロック装置用検知装置が得られた。
【００１２】
上記本発明によれば、リードスイッチと一対の接点及び接片からなるスイッチという２種類のスイッチを用いることなく、１個の検知装置で、衣類投入口用蓋体の開閉状態及びロック部材による衣類投入口用蓋体のロック及びそのロック解除の状態を検知できる蓋ロック装置を用いることで、低価格化及び高信頼化を図ることを可能にする洗濯機が得られた。
【発明を実施するための最良の形態】
【００１３】
以下、本発明に係る蓋ロック装置、蓋ロック装置用検知装置及び蓋ロック装置を用いた洗濯機の一実施形態を図面に基づいて説明する。
【００１４】
図１において、蓋ロック装置１は、本体ケース２と、電磁プランジャ装置３と、機器に設けた蓋４のロック及びそのロックの解除を可能にするロック部材５と、電磁プランジャ装置３のプランジャ部材３Ｂの往復動に連動してロック部材５を往復動させる従動機構６と、蓋４の開閉状態及びロック部材５による蓋４のロック及びそのロック解除の状態を検知する検知装置７を備え、電磁プランジャ装置３のプランジャ部材３Ｂを往復動させることにより、ロック部材５の一端部５Ａを本体ケース２の開口２Ａから出没させる構成にしてある。
【００１５】
本体ケース２は、図２乃至図４に示すように、合成樹脂製の下ケース８と合成樹脂製の上ケース９とからなっており、下ケース８側に、電磁プランジャ装置３、ロック部材５、従動機構６及び検知装置７を取り外し可能に装着した後、その下ケース８に上ケース９を、着脱自在に取り付ける構成にしてある。
【００１６】
電磁プランジャ装置３は、電磁コイル部３Ａと、電磁コイル部３Ａ内に一部を脱着自在に嵌合させるプランジャ部材３Ｂと、電磁コイル部３Ａに電気的に接続される２個の電磁コイル用端子片３Ｃとからなり、電磁コイル部３Ａに電源電圧（交流１００Ｖ全波整流）が印加されると、プランジャ部材３Ｂが電磁コイル部３Ａ側に吸引されて移動する構成にしてある。プランジャ部材３Ｂは、磁性体であって、細長角材状の鋼材（ＳＵＳ４３０等）からなり、図５に示すように、貫通させた嵌合穴３Ｂ‐１が１個形成してある。
【００１７】
ロック部材５は、合成樹脂からなり、図６に示すように、細長角材状になっている。ロック部材５の下面の略中央には、図７に示すように、円筒突出体５Ｂが一体に成形されている。円筒突出体５Ｂには、ピン５Ｃとピン付勢用ばね５Ｄが取り付けられている。ピン５Ｃの先端は、ピン付勢用ばね５Ｄにより付勢されて、円筒突出体５Ｂの先端から常に突出している。ロック部材５の一端部５Ａ側には、マイナスドライバーの刃先を嵌合させることのできる嵌合溝５Ｅが形成されている。
【００１８】
従動機構６は、図１乃至図４に示すように、操作レバー１０と、プランジャレバー１１と、戻しばね１２と、ハートカム１３とから構成される。操作レバー１０は、合成樹脂製であって、図８及び図９に示すように、一端側にロック部材５下面に形成した円筒突出体５Ｂに嵌合するところの嵌合長穴１０Ａを形成し、かつ、他端側に下ケース８の内底から突出形成された支軸体８Ａに嵌合するところの嵌合円穴１０Ｂを形成する構成にしてある。さらに、操作レバー１０の他端側には、嵌合円穴１０Ｂよりも外方に延びてプランジャレバー１１に係合させる係合部材１０Ｃが形成されている。
【００１９】
プランジャレバー１１は、合成樹脂製であって、図１０及び図１１に示すように、一端側にプランジャ部材３Ｂに設けた嵌合穴３Ｂ‐１に嵌合するところの突起体１１Ａとプランジャ部材３Ｂの両側面を抱き込む一対の突出リブ１１Ｅを設け、かつ、他端側に下ケース８の内側壁にプランジャ部材３Ｂの長手方向に延びるように形成された横長溝８Ｂに嵌合するところのフランジ１１Ｂを形成した構成にしてある。さらに、プランジャレバー１１の一端側には、突起体１１Ａが設けられている面側とは反対側の面側に、コイル状の戻しばね１２を装着するための断面形状が、半円形状の凹部１１Ｃが形成されている。プランジャレバー１１のフランジ１１Ｂには、操作レバー１０の係合部材１０Ｃが係合する係合切欠き１１Ｄが形成されている。戻しばね１２は、プランジャレバー１１を電磁プランジャ装置３の電磁コイル部３Ａ側から離れる方向に付勢するものであって、ステンレス鋼線を、直径約４ｍｍのコイル状に約１３回巻き上げることにより形成される。
【００２０】
ハートカム１３は、合成樹脂製であって、図１２及び図１３に示すように、方形板状になっており、ロック部材５の往復動の方向に対して直角方向に摺動可能となるように、ロック部材５下方に位置する下ケース８内底に設けた収納段部８Ｃ内に設置される。ハートカム１３の上面には、ハート形突起１３Ａと、ハート形突起１３Ａの周囲に底面部の高さの異なる案内溝１３Ｂ、１３Ｃ、１３Ｄ、１３Ｅ、１３Ｆが設けられる。案内溝１３Ｂ、１３Ｃ、１３Ｄ、１３Ｅ、１３Ｆの底面部は、それらの底面部の高さが各々異なるので、段差が形成された摺動面となる。その段差のある摺動面を、ロック部材５下面に形成した円筒突出体５Ａに設けたピン５Ｃの先端が摺動することで、ロック部材５の一端部５Ａが本体ケース２の開口２Ａから出た状態の保持及びその保持の解除を行うようにしてある。
【００２１】
すなわち、ロック部材５のピン５Ｃは、案内溝１３Ｂ、１３Ｃ、１３Ｄ、１３Ｅ、１３Ｆに案内されつつ、案内溝１３Ｂ、１３Ｃ、１３Ｄ、１３Ｅ、１３Ｆの底面によって形成された段差のある摺動面を摺接しながら（ピン付勢用ばね５Ｄにより押圧された状態で）、図１２に示すように、位置Ｐ１―位置Ｐ２−位置Ｐ３−位置Ｐ４−位置Ｐ１の順で移動する。そして、ロック部材５のピン５Ｃが、案内溝１３Ｂ、１３Ｃを移動して位置Ｐ１―位置Ｐ２の順で動いたときには、ハートカム１３が図１２においては下方向に移動すると共に、ロック部材５の一端部５Ａが本体ケース２の開口２Ａから出る方向に移動する。次に、ロック部材５のピン５Ｃが、案内溝１３Ｄ、１３Ｅを移動して位置Ｐ２−位置Ｐ３の順で動いたときには、そのピン５Ｃがハート形突起１３Ａに係止されて、ロック部材５の一端部５Ａが本体ケース２の開口２Ａから出た状態が保持される。次に、ロック部材５のピン５Ｃが、案内溝１３Ｅ、１３Ｆ、１３Ｂを移動して位置Ｐ３−位置Ｐ４−位置Ｐ１で動いたときには、ハートカム１３が図１２においては上方向に移動すると共に、ロック部材５の一端部５Ａが本体ケース２の開口２Ａから出た状態が解除されて、そのロック部材５の一端部５Ａが本体ケース２の開口２Ａ内に没する方向に移動する。なお、図１２に示す案内溝１３Ｂ、１３Ｃ、１３Ｄ、１３Ｅ、１３Ｆの底面の数字は、それら底面の高さを示している。
【００２２】
検知装置７は、図１４及び図１５に示すように、本体ケース２のロック部材５の一端部が出没する側面２Ｂと同一側面に装着可能なコイルケース１４と、このコイルケース１４内底から突出する筒部１４Ａの外周に巻装された巻線コイル１５と、巻線コイル１５に隣接してコイルケース１４内に設置されたコンデンサ１６と、コイルケース１４内底から鉛直方向に延びる２個の発振回路用端子片１７、１７Ａとから構成される。これら２個の発振回路用端子片１７、１７Ａには、巻線コイル１５とコンデンサ１６のＬＣ発振回路による発振器１８が形成されるように、巻線コイル１５及びコンデンサ１６が接続される。コイルケース１４は、合成樹脂製であって、図１６及び図１７に示すように、巻線コイル１５を装着するための筒部１４Ａと、発振回路用端子片１７、１７Ａを取り付けるための端子取り付け部１４Ｂと、巻線コイル１５の引き出し線１５Ａを案内するための一対の案内ボス１４Ｃと、コイルケース１４の開口端縁に設けられる一対の係止溝１４Ｄが、一体に成形されている。コイルケース１４の筒部１４Ａは、その内側に、細長角材状であるプランジャ部材３Ｂの一端側が嵌合可能な大きさ及び形状としてある。巻線コイル１５は、直径０．１２ｍｍの２種ポリウレタン融着銅線からなり、コイルケース１４の筒部１４Ａに装着可能な形状とし、かつ、巻数を約５００としてある。コンデンサ１６は、静電容量を０．０１〜０．０３マイクロファラッドとし、温度による静電容量の変化の少ないポリプロピレンフイルムコンデンサが用いられている。
【００２３】
発振回路用端子片１７、１７Ａは、厚さ０．５ｍｍの黄銅板からなり、図１８に示すように、端子取り付け部１４Ｂに圧入させる圧入切欠き１７‐１と、巻線コイル１５の引き出し線１５Ａを半田等で固定するための固定片１７−２と、コンデンサ１６の接続部材１６Ａを半田等で固定するための固定切欠き１７‐３と、抜け止め用切欠き１７‐４と、コイルケース１４の開口端縁に設けた係止溝１４Ｄに係止される係止片１７‐５が、一体に形成されている。固定切欠き１７‐３は、図１５に示すように、コイルケース１４の開口端縁よりも上方に位置させてある。コンデンサ１６は、その接続部材１６Ａを固定切欠き１７‐３に固定することにより、コイルケース１４内に斜めに立て掛けた状態で設置させる。そのために、コイルケース１４の高さ寸法Ｘを小さく設定できる。コイルケース１４内には、図１５に示す２点鎖線の位置まで、巻線コイル１５の絶縁材となるウレタン注型剤を充填させる。
【００２４】
上記構成の検知装置７を生産するには、始めに、コイルケース１４の開口端縁に設けた係止溝１４Ｄの開口を上向きにした状態で、そのコイルケース１４の筒部１４Ａの外周に巻線コイル１５を嵌め込む。次に、２個の発振回路用端子片１７、１７Ａの係止片１７‐５を、コイルケース１４の開口端縁に設けた係止溝１４Ｄに嵌め込むことにより、２個の発振回路用端子片１７、１７Ａを、コイルケース１４の開口端に沿って水平に支持することで、発振回路用端子片１７、１７Ａの固定片１７−２が上向きとなる状態にする。次に、上向きとなっている発振回路用端子片１７、１７Ａの固定片１７−２に、巻線コイル１５の引き出し線１５Ａの端部を巻き付けた後、その端部を固定片１７−２に半田付けする。この場合、引き出し線１５Ａは、コイルケース１４の内側壁と案内ボス１４Ｃとの間を通すことができるように、弛みをもたせてある。次に、巻線コイル１５の引き出し線１５Ａの発振回路用端子片１７、１７Ａへの半田付け作業が終わったならば、発振回路用端子片１７、１７Ａの係止片１７‐５をコイルケース１４の開口端縁に設けた係止溝１４Ｄから外した後、発振回路用端子片１７、１７Ａの圧入切欠き１７‐１をコイルケース１４の端子取り付け部１４Ｂに圧入することで、その発振回路用端子片１７、１７Ａがコイルケース１４内底から鉛直方向に延びた状態になるように、発振回路用端子片１７、１７Ａをコイルケース１４の内底に固定する。この場合、発振回路用端子片１７、１７Ａの圧入切欠き１７‐１をコイルケース１４の端子取り付け部１４Ｂに圧入した状態では、再び、図１５に示すように、発振回路用端子片１７、１７Ａの係止片１７‐５がコイルケース１４の開口端縁に設けた係止溝１４Ｄに嵌め込まれる。次に、コンデンサ１６を、巻線コイル１５と２個の発振回路用端子片１７、１７Ａとの間で、コンデンサ１６の接続部材１６Ａが上向きとなるように、立て掛けた後、コンデンサ１６の接続部材１６Ａを発振回路用端子片１７、１７Ａの固定切欠き１７‐３に係止させ、その後、その固定切欠き１７‐３にコンデンサ１６の接続部材１６Ａを半田付けする。最後に、コイルケース１４内に、図１５に示す２点鎖線の位置まで、巻線コイル１５の絶縁材となるウレタン注型剤を充填させることで、検知装置７を生産することができる。
【００２５】
上記検知装置７の生産において、ウレタン注型剤をコイルケース１４内に充填する際には、ウレタン注型剤がコイルケース１４の外周面及びコイルケース１４の開口端面に付着しないようにすると共に、巻線コイル１５の引き出し線１５Ａや発振回路用端子片１７、１７Ａの周囲に、異極充電部間を連通させる気泡がないようにする。このようにして、生産された検知装置７は、蓋ロック装置１の本体ケース２に脱着可能に取り付けられる。そして、蓋ロック装置１を機器に取り付けたとき、検知装置７におけるコイルケース１４の巻線コイル１５と機器の蓋４に設けた磁性体片４Ａとが、蓋４を閉じた状態で、対向するようにしてある。磁性体片４ＡはＳＵＳ４３０等の鉄片とする。
【００２６】
本体ケース２の下ケース８の内底には、図１９及び図２０に示すように、検知装置７のコイルケース１４が収納されて検知装置の２個の発振回路用端子片１７、１７Ａがプランジャ部材３Ｂの長手方向に沿って延びることを可能にした収納凹部８Ｄが、プランジャ部材３Ｂの下方に位置する下ケース８の内底部分に形成される。収納凹部８Ｄの内底には、プランジャ部材３Ｂの下方に位置するように支軸体８Ａが形成される。支軸体８Ａの左右には、発振回路用端子片１７、１７Ａを支えるための支持壁８Ｅが形成されている。支持壁８Ｅに一対の細長切欠き８Ｅ−１を設けて、この一対の細長切欠き８Ｅ−１に、発振回路用端子片１７、１７Ａの抜け止め用切欠き１７‐４を係合させることによって、検知装置７が本体ケース２に組み込まれたときの発振回路用端子片１７、１７Ａの抜け止めが行われるようにしてある（図３及び図４参照）。本体ケース２の下ケース８の内底には、ロック部材５を、着脱自在に、かつ、摺動自在に保持する一対の保持爪８Ｆと、ロック部材５の本体ケース内への入り過ぎを阻止する阻止体８Ｇとが形成される。ハートカム１３が設置される収納段部８Ｃは、ロック部材５の下方に位置する下ケース８の内底部分に形成される。一対の保持爪８Ｆの間に位置する下ケース８の内底部分には、ロック部材５用の一対の摺動台８Ｈが形成される。
【００２７】
下ケース８の内底には、図１９、図２０及び図２１に示すように、電磁プランジャ装置３の電磁コイル部３Ａの下半分を収納する収納空間８Ｉを形成する仕切壁８Ｊが形成される。下ケース８の側面には、ロック部材５の一端部５Ａを出没させる下開口８Ｋが形成される。下開口８Ｋが形成される下ケース８の側面とは反対側の側面には、電磁プランジャ装置３の電磁コイル用端子片３Ｃを引き出すための電磁プランジャ装置用端子片引き出し開口８Ｌが形成される。下ケース８の下開口８Ｋが形成された側面には、検知装置７におけるコイルケース１４の１部を突出させる検知装置用開口８Ｍが形成される。プランジャレバー１１のフランジ１１Ｂが嵌合する横長溝８Ｂは、図１９に示すように、支軸体８Ａに近い下ケース８の内側壁に形成される。横長溝８Ｂには、操作レバー１０の係合部材１０Ｃをその横長溝８Ｂ内に延在させるための係合部材用切欠き８Ｎが形成される。収納凹部８Ｄには、検知装置７における発振回路用端子片１７、１７Ａを引き出すための検知装置用端子片引き出し開口８Ｐが形成される。その検知装置用端子片引き出し開口８Ｐは、検知装置７の発振回路用端子片１７、１７Ａの引き出し方向と、電磁プランジャ装置３の電磁コイル用端子片３Ｃの引き出し方向とが、同一方向となる位置に設けられている。下ケース８の収納凹部８Ｄには、発振回路用端子片用仕切壁８Ｓが設けられている。下ケース８の、下開口８Ｋ及び検知装置用開口８Ｍが設けられる側面以外の側面には、蓋ロック装置１を装着する機器に、本体ケース２を固定するための取り付け片８Ｔが複数個設けられている。
【００２８】
本体ケース２の上ケース９には、図２２及び図２３に示すように、電磁プランジャ装置３の電磁コイル部３Ａの上半分を収納する収納空間９Ａを形成する仕切壁９Ｂが形成される。上ケース９の側面には、ロック部材５の一端部５Ａを出没させる上開口９Ｃが形成される。上開口９Ｃが形成される上ケース９の側面とは反対側の側面には、電磁プランジャ装置３の電磁コイル用端子片３Ｃを引き出すための電磁プランジャ装置用端子片引き出し開口９Ｄが形成される。上ケース９の上開口９Ｃが形成された側面には、検知装置７におけるコイルケース１４の１部を突出させる検知装置用開口９Ｅが形成される。上ケース９の内底には、戻しばね１２の逃げ溝９Ｆが形成される。上ケース９の側面のうち、上開口９Ｃあるいは電磁プランジャ装置用端子片引き出し開口９Ｄが形成されない側面には、係止爪９Ｇが形成される。上ケース９の内底には、検知装置用支持爪９Ｈが形成される。上ケース９と下ケース８は、図３に示すように、係止爪９Ｇを下ケース８の外側面に形成した係止段部８Ｒに嵌め込むことにより、一体化されて、本体ケース２となる。本体ケース２の開口２Ａは、上ケース９と下ケース８を一体化することで、下ケース８の下開口８Ｋと上ケース９の上開口９Ｃとにより、形成される。検知装置７の１部を突出させる突出開口２Ｃは、上ケース９と下ケース８を一体化することで、下ケース８の検知装置用開口８Ｍと上ケース９の検知装置用開口９Ｅとにより、形成される。
【００２９】
本体ケース２内には、図１に示すように、電磁プランジャ装置３のプランジャ部材３Ｂの往復動の方向とロック部材５の往復動の方向が略同一方向となるように、電磁プランジャ装置３とロック部材５と従動機構６を収納すると共に、電磁プランジャ装置３のプランジャ部材３Ｂの先端部が巻線コイル１５内に嵌合するように検知装置７が配置されている。プランジャ部材３Ｂが電磁コイル部３Ａに吸引された状態では、巻線コイル１５外にプランジャ部材３Ｂの先端部を位置させると共に、プランジャ部材３Ｂが電磁コイル部３Ａに吸引されない状態では、巻線コイル１５内に、プランジャ部材３Ｂの先端部を位置させるようにしてある。
【００３０】
検知装置７の発振器１８は、図２４に示すように、機器に設けた蓋４が開いた状態であって、かつ、電磁プランジャ装置３が動作せずにプランジャ部材３Ｂの先端部が巻線コイル１５内に嵌合している状態のとき、約２４ｋＨｚの発振周波数を発生するようにしてある。また、検知装置７の発振器１８は、図２５に示すように、機器に設けた蓋４が閉じることにより蓋４に設けた鉄片などからなる磁性体片４Ａが検知装置７における巻線コイル１５を収納したコイルケース１４に近接した状態となり、しかも、電磁プランジャ装置３が動作せずにプランジャ部材３Ｂの先端部が巻線コイル１５内に嵌合している状態のとき、約２３ｋＨｚの発振周波数を発生するようにしてある。また、検知装置７の発振器１８は、図２６に示すように、機器に設けた蓋４が閉じることにより蓋４の磁性体片４Ａが検知装置７における巻線コイル１５を収納したコイルケース１４に近接した状態となり、しかも、電磁プランジャ装置３が動作してプランジャ部材３Ｂを電磁コイル部３Ａに吸引することによりプランジャ部材３Ｂの先端部を巻線コイル１５内に位置させない状態にしたとき、約２５ｋＨｚの発振周波数を発生するようにしてある。
【００３１】
上記構成の蓋ロック装置１の組み立ては、まず、始めに、下ケース８の収納段部８Ｃ内にハートカム１３を設置する。次に、検知装置７のコイルケース１４を検知装置用開口８Ｍに嵌め込むと共に、検知装置７の発振回路用端子片１７、１７Ａの抜け止め用切欠き１７‐４を、下ケース８の支持壁８Ｅの細長切欠き８Ｅ−１８に嵌め込むことにより、検知装置７を下ケース８に取り付ける。次に、操作レバー１０の嵌合円穴１０Ｂを下ケース８の収納凹部８Ｄにある支軸体８Ａに嵌合させることにより、操作レバー１０の嵌合長穴１０Ａをハートカム１３の上方に位置させ、かつ、操作レバー１０の係合部材１０Ｃを、下ケース８の係合部材用切欠き８Ｎを介して下ケース８の横長溝８Ｂ内に位置させた状態で、操作レバー１０を支軸体８Ａに回動自在に取り付ける。次に、ロック部材５の円筒突出体５Ｂを操作レバー１０の嵌合長穴１０Ａに嵌合させた状態で、ロック部材５を一対の保持爪８Ｆ内に嵌め込むことにより、下ケース８における下開口８Ｋと摺動台８Ｈの上をロック部材５が摺動可能状態となるようにし、かつ、ロック部材５のピン５Ｃがハートカム１３における案内溝１３Ｂ、１３Ｃ、１３Ｄ、１３Ｅ、１３Ｆの底面の段差面を摺動可能状態となるようにする。次に、電磁プランジャ装置３のプランジャ部材３Ｂの他端側を電磁プランジャ装置３の電磁コイル部３Ａ内に嵌合させた状態で、電磁プランジャ装置３のプランジャ部材３Ｂの一端側を検知装置７のコイルケース１４の筒部１４Ａ内に嵌合させつつ、電磁プランジャ装置３の電磁コイル部３Ａ側を収納空間８Ｉ内に嵌め込むことにより、電磁プランジャ装置３を下ケース８に装着する。次に、プランジャ部材３Ｂの嵌合穴３Ｂ‐１にプランジャレバー１１の突起体１１Ａを嵌合させ、かつ、プランジャレバー１１の係合切欠き１１Ｄを操作レバー１０の係合部材１０Ｃに嵌合させることで、プランジャレバー１１のフランジ１１Ｂを下ケース８の横長溝８Ｂに嵌合させることにより、プランジャレバー１１を横長溝８に沿って摺動可能状態となるようにする。次に、プランジャレバー１１の凹部１１Ｃと電磁コイル部３Ａ側の側端面との間に戻しばね１２を装着する。最後に、下ケース８の上から上ケース９をかぶせて、下ケース８の係止段部８Ｒに上ケース９の係止爪９Ｇを嵌め込むことにより、下ケース８と上ケース９とを一体化させれば、蓋ロック装置１の組み立てが完了する。
【００３２】
上記構成の蓋ロック装置１の動作を、図２４〜図２６を用いて説明すると、次の通りである。すなわち、機器に設けた蓋４が開いた状態にあっては、電磁プランジャ装置３は動作せず、図２４に示すように、プランジャ部材３Ｂの先端部が巻線コイル１５内に嵌合し、かつ、ロック部材５の一端部５Ａが本体ケース２の開口２Ａから外に出ていない。この状態のとき、検知装置７は、約２４ｋＨｚの発振周波数を発生させて、蓋４が開状態で、かつ、ロック部材５がロック解除状態であることを検知する。
【００３３】
次に、機器に設けた蓋４が閉じることにより、図２５に示すように、蓋４に設けた磁性体片４Ａが検知装置７における巻線コイル１５を収納したコイルケース１４に近接した状態となり、かつ、電磁プランジャ装置３を動作させないでプランジャ部材３Ａの先端部が巻線コイル１５内に嵌合している状態とする。この状態のとき、検知装置７は、約２３ｋＨｚの発振周波数を発生させて、蓋４が閉状態で、かつ、ロック部材５がロック解除状態であることを検知する。
【００３４】
次に、機器に設けた蓋４を閉じて、蓋４の磁性体片４Ａが検知装置７における巻線コイル１５を収納したコイルケース１４に近接させた状態で、電磁プランジャ装置３を動作させると、プランジャ部材３Ｂが電磁コイル部３Ａ側に吸引されて、図２６に示すように、右方向に移動する。プランジャ部材３Ｂが右方向に移動すると、プランジャレバー１１が戻しばね１２の付勢力に逆らって右方向に移動する。プランジャレバー１１が右方向に移動すると、操作レバー１０が支軸体８Ａを回動軸として、図２６に示すように、反時計方向に回動する。操作レバー１０が反時計方向に回動すると、ロック部材５の一端部５Ａが本体ケース２の開口２Ａから外に出る方向に、ロック部材５が移動して、図２６に示すように、ロック部材５の一端部５Ａが係合開口４Ｂに係合した状態、すなわち、蓋４がロック状態となる。この状態のとき、検知装置７は、約２５ｋＨｚの発振周波数を発生させて、蓋４が閉状態で、かつ、ロック部材５がロック状態であることを検知する。また、ロック部材５の一端部５Ａが係合開口４Ｂに係合した状態は、ハートカム１３のハート形突起１３Ａにロック部材５のピン５Ｃが係止されることで、保持される。
【００３５】
次に、図２６の状態で、電磁プランジャ装置３を動作させると、ハートカム１３のハート形突起１３Ａからロック部材５のピン５Ｃが外れるので、戻しばね１２によって、プランジャレバー１１が左方向に移動させられる。プランジャレバー１１が左方向に移動すると、操作レバー１０が時計方向に回動するので、ロック部材５が本体ケース２の開口２Ａ内に入る方向に移動して、ロック部材５の一端部５Ａが係合開口４Ｂから離れた状態、すなわち、蓋４のロックが解除した状態となる。検知装置７の発振器１８の発振周波数は、図２７に示すように、増幅回路１８Ａにより増幅され、その増幅された周波数を、機器側に設置されたマイコン１８Ｂでカウントするようにしている。そして、マイコン１８Ｂが約２５ｋＨｚの周波数をカウントすると、電磁プランジャ装置３が電源１８Ｃに接続されて、プランジャ部材３Ｂが電磁コイル部３Ａ側に吸引されるようにしてある。
【００３６】
以上のように、機器に設けた蓋４の開閉やプランジャ部材３Ｂの往復動によってインダクタンスが変化する巻線コイル１５と、この巻線コイル１５に並列接続したコンデンサ１６とから形成される発振器１８により、蓋４の開閉状態及びロック部材５による蓋４のロック及びそのロック解除の状態を検知するようにしたので、従来のように、蓋４の開閉状態を検知するリードスイッチと、ロック部材５による蓋４のロック及びそのロック解除の状態を検知する一対の接点及び接片からなるスイッチとの、２種類のスイッチを設ける必要がなくなる
【００３７】
上記一実施形態の蓋ロック装置１によれば、プランジャ部材３Ｂの下方に位置する収納凹部８Ｄ内底に設けた支軸体８Ａを中心に、操作レバーを回動させるようにしたので、ロック部材５の往復距離を十分にとることができ、ロック部材５の一端部５Ａを本体ケース２の開口２Ａから十分に突出せることができる。
【００３８】
上記一実施形態の蓋ロック装置１によれば、一対の保持爪の間にロック部材５を押し込こむことで、摺動台８Ｈと下開口８Ｋの上を摺動するように、ロック部材５を簡単に保持することができると共に、操作レバー１０や戻しばね１２などの働きによりロック部材５が本体ケース内に入り込む際、その入り込みが阻止体８Ｇで阻止されるので、ロック部材５が本体ケース内に必要以上に入り込むことがない。
【００３９】
上記一実施形態の検知装置７によれば、その検知装置７が故障した場合に蓋ロック装置１全体を交換するのではなく、故障した検知装置７のみを交換すればよいと共に、故障した検知装置７を蓋ロック装置１から取り出して修理点検を行うことができる
【００４０】
上記一実施形態の蓋ロック装置１によれば、電磁コイル用端子片３Ｃに接続プラグ（図示せず）を差し込めば、電磁プランジャ装置３を電源に接続することが可能であり、かつ、検知装置用端子片引き出し開口から接続プラグ（図示せず）を差し込めば、発振回路用端子片１７、１７Ａを電源用回路に接続することが可能であり、しかも、電磁コイル用端子片３Ｃと前記発振回路用端子片１７、１７Ａとは同一方向に延在させてあるので、前記接続プラグ（図示せず）の差し込み作業や前記接続プラグ（図示せず）のコードの配線作業等が簡単に行うことができる。
【００４１】
次に、上記構成の蓋ロック装置１を洗濯機に用いた一実施形態を、図２８から図３２に基づいて、説明する。
【００４２】
図２８から図３２に示す洗濯機は、全自動洗濯機１９である。全自動洗濯機１９は、図２８に示すように、鋼板製の外枠２０と、この外枠２０内に吊り棒２１により防振支持された水受け槽２２と、この水受け槽２２内に回転自在に設けた脱水槽２３と、この脱水槽２３の内底部に設けた攪拌翼２４とを備えている。外枠２０の上面開口部には、中央部に衣類投入口２５を設け、かつ、周辺近傍に制御基板２６を設置する収納凹部２７を設けた合成樹脂製のトップカバー２８が固定されている。外枠２０の上部には、水道などからの水を水受け槽２２内に給水するための給水弁２９及び給水ホース３０が設けられている。水受け槽２２の底部には、水受け槽２２内の水を排水するための排水弁３１及び排水ホース３２が設けられている。水受け槽２２の底部には、脱水槽２３あるいは攪拌翼２４を回転させる駆動源となるモータ３３とクラッチ機構３４が設けられている。水受け槽２２の側面下部には、水受け槽２２に溜めた水の水位を検出するための水位検出機構に連通する空気溜め室３５が設けられている。
【００４３】
トップカバー２８の衣類投入口２５には、合成樹脂製の衣類投入口用蓋体３６が開閉自在に設けられている。トップカバー２８の制御基板２６の近傍には、図２９に示すように、上記構成の蓋ロック装置１が取り付けられる。トップカバー２８には、制御基板２６及び蓋ロック装置１を覆うための合成樹脂からなる収納カバー３７が着脱可能に取り付けられている。衣類投入口用蓋体３６には、図３０に示すように、鉄片などからなる磁性体片３８が設けられている。衣類投入口用蓋体３６には、図３１に示すように、蓋ロック装置１のロック部材５の一端部５Ａが出入する係止開口３９が設けられている。トップカバー２８及び収納カバー３７側には、ロック部材５の一端部５Ａが出入する出入開口４０が係止開口３９に対向するように設けられている。
【００４４】
上記構成の全自動洗濯機１９において、衣類投入口用蓋体３６を開き、衣類を脱水槽２３内に投入するようになっており、洗い時には、排水弁３１を閉じて給水弁２９を開くことにより、水受け槽２２内に所定の水位まで水を溜めた後、攪拌翼２４を回転させることで、衣類を水洗いする。衣類の水洗いが終了したならば、攪拌翼２４の回転を止めて排水弁３１を開き、水受け槽２２内の水を排水させると共に、クラッチ機構３４が切り替えて脱水槽２３を高速回転可能状態にする。脱水時には、排水弁３１を開いた状態で、脱水槽２３を高速回転させることにより、脱水槽２３内の衣類に含有されている水を分離させて、排水させる。したがって、脱水時中は、衣類投入口用蓋体３６を開き、衣類を投入するなどの行為をすることは危険であるので、衣類投入口用蓋体３６が蓋ロック装置１でロックされて開かないようにしている。衣類投入時及び洗い時中は、蓋ロック装置１による衣類投入口用蓋体３６のロックが解除されて、衣類投入口用蓋体３６が開くことができるようにしてある。
【００４５】
全自動洗濯機１９に取り付けた蓋ロック装置１の動作を図３２に基づいて、説明すると、次のとおりである。すなわち、蓋ロック装置１により衣類投入口用蓋体３６がロックされておらず、かつ、衣類投入口用蓋体３６を開いた状態で、衣類を脱水槽２３内に投入しているときには、蓋ロック装置１の検知装置７が、約２４ｋＨｚの発振周波数を発生させて、衣類投入口用蓋体３６が開状態で、かつ、ロック部材５がロック解除状態である（図３２参照）ことを制御基板２６に搭載された洗濯機制御用マイコンで検知する。
【００４６】
次に、蓋ロック装置１により衣類投入口用蓋体３６がロックされておらず、かつ、衣類投入口用蓋体３６を閉じた状態で、攪拌翼２４を回転させて衣類の水洗いをしているときには、磁性体片３８が検知装置７におけるコイルケース１４の巻線コイル１５に近接させた状態となる（図２５参照）ため、蓋ロック装置１の検知装置７が、約２３ｋＨｚの発振周波数を発生させて、衣類投入口用蓋体３６が閉状態で、かつ、ロック部材５がロック解除状態である（図３２参照）ことを制御基板２６に搭載された洗濯機制御用マイコンで検知する。
【００４７】
次に、蓋ロック装置１により衣類投入口用蓋体３６がロックされ、かつ、衣類投入口用蓋体３６を閉じた状態で、脱水槽２３を高速回転させて衣類の脱水をしているときには、磁性体片３８が検知装置７におけるコイルケース１４の巻線コイル１５に近接させた状態となり、かつ、プランジャ部材３Ｂの先端部が検知装置７の巻線コイル１５から離れた状態となる（図２６参照）ため、蓋ロック装置１の検知装置７が、約２５ｋＨｚの発振周波数を発生させて、蓋４が閉状態で、かつ、ロック部材５がロック状態である（図３２参照）ことを制御基板２６に搭載された洗濯機制御用マイコンで検知する。
【００４８】
上記洗濯機では、従来のように、リードスイッチと一対に接点及び接片からなるスイッチという２種類のスイッチを用いることなく、１個の検知装置７で、衣類投入口用蓋体３６の開閉状態及びロック部材５による衣類投入口用蓋体３６のロック及びそのロック解除の状態を検知できる蓋ロック装置１を用いたので、低価格化及び高信頼化を図りえる洗濯機が得られた。
【００４９】
上記実施形態において、衣類投入口用蓋体３６に鉄片などからなる磁性体片３８を設けるようにしているが、これに限定されない。衣類投入口用蓋体３６を鉄板などの磁性材で成形した場合には、磁性体片３８を設ける必要がない。
【図面の簡単な説明】
【００５０】
【図１】本発明の一実施例を示し、上ケースを取り除いた状態における蓋ロック装置の要部斜視図である。
【図２】本発明の一実施例を示し、下ケースに上ケースを取り付けた状態における蓋ロック装置の側面図である。
【図３】本発明の一実施例を示し、下ケースに上ケースを取り付けた状態における蓋ロック装置の要部断面図である。
【図４】図２のＡ−Ａ断面図である。
【図５】本発明の一実施例を示し、電磁プランジャ装置におけるプランジャ部材の平面図である。
【図６】本発明の一実施例を示し、蓋ロック装置におけるロック部材５の平面図である。
【図７】図６のＢ−Ｂ断面図である。
【図８】本発明の一実施例を示し、従動機構における操作レバーの平面図である。
【図９】図８のＣ−Ｃ断面図である。
【図１０】本発明の一実施例を示し、従動機構におけるプランジャレバーの平面図である。
【図１１】図１０のＤ−Ｄ断面図である。
【図１２】本発明の一実施例を示し、従動機構におけるハートカムの平面図である。
【図１３】図１２のＥ−Ｅ断面図である。
【図１４】本発明の一実施例を示し、蓋ロック装置における検知装置の正面図である。
【図１５】本発明の一実施例を示し、蓋ロック装置における検知装置の要部断面図である。
【図１６】本発明の一実施例を示し、検知装置におけるコイルケースの平面図である。
【図１７】図１０のＦ−Ｆ断面図である。
【図１８】本発明の一実施例を示し、検知装置における発振回路用端子片の平面図である。
【図１９】本発明の一実施例を示し、本体ケースにおける下ケースの平面図である。
【図２０】図１９のＧ−Ｇ断面図である。
【図２１】本発明の一実施例を示し、本体ケースにおける下ケースの側面図である。
【図２２】本発明の一実施例を示し、本体ケースにおける上ケースの平面図である。
【図２３】図２２の側面図である。
【図２４】本発明の一実施例を示し、蓋が開いて、ロック部材が本体ケースの開口から外に出ていない状態（ロック解除状態）の動作説明図である。
【図２５】本発明の一実施例を示し、蓋が閉じて、ロック部材が本体ケースの開口から外に出ていない状態（ロック解除状態）の動作説明図である。
【図２６】本発明の一実施例を示し、蓋が閉じて、ロック部材が本体ケースの開口から外に出ている状態（ロック状態）の動作説明図である。
【図２７】本発明の一実施例を示し、検知装置の発振器に関連する要部回路図である。
【図２８】本発明の洗濯機の一実施例を示し、要部縦断面図である。
【図２９】本発明の洗濯機の一実施例を示し、トップカバーから収納カバーを取り除いた状態の平面図である。
【図３０】本発明の洗濯機の一実施例を示し、トップカバーから収納カバーを取り除いた状態の要部拡大平面図である。
【図３１】本発明の洗濯機の一実施例を示し、蓋ロック装置収納部分の要部拡大断面図である。
【図３２】本発明の洗濯機に検知装置を用いた場合におけるその検知装置の発振周波数と洗濯工程との関係図である。
【符号の説明】
【００５１】
１    蓋ロック装置
２    本体ケース  
２Ａ  開口
３    電磁プランジャ装置
３Ａ  電磁コイル部
３Ｂ  プランジャ部材
３Ｂ‐１  嵌合穴
３Ｃ  電磁コイル用端子片
４    蓋
４Ａ  磁性体片
４Ｂ  係合開口
５    ロック部材
５Ａ  一端部
５Ｂ  円筒突出体
５Ｃ  ピン
５Ｄ  ピン付勢用ばね
５Ｅ  嵌合溝
６    従動機構
７    検知装置
８    下ケース
８Ａ  支軸体
８Ｂ  横長溝
８Ｃ  収納段部  
８Ｄ  収納凹部
８Ｅ  支持壁
８Ｅ‐１  細長切欠き
８Ｆ  保持爪
８Ｇ  阻止体
８Ｈ  摺動台
８Ｋ  下開口
８Ｌ  電磁プランジャ装置用端子片引き出し開口
８Ｍ  検知装置用開口
８Ｎ  係合部材用切欠き
８Ｐ  検知装置用端子片引き出し開口
８Ｓ  発振回路用端子片用仕切壁
８Ｔ  取り付け片
９    上ケース
９Ａ  収納空間
９Ｃ  上開口
９Ｄ  電磁プランジャ装置用端子片引き出し開口
９Ｅ  検知装置用開口
９Ｆ  逃げ溝
９Ｇ  係止爪
９Ｈ  検知装置用支持爪
１０  操作レバー
１０Ａ  嵌合長穴
１０Ｂ  嵌合円穴
１０Ｃ  係合部材
１１  プランジャレバー
１１Ａ  突起体
１１Ｂ  フランジ
１１Ｃ  凹部
１１Ｄ  係合切欠き
１２  戻しばね
１３  ハートカム
１３  ハート形突起
１３Ｂ、１３Ｃ、１３Ｄ、１３Ｅ、１３Ｆ  案内溝
１４  コイルケース
１４Ａ  筒部
１４Ｂ  端子取り付け部
１４Ｃ  一対の案内ボス
１４Ｄ  一対の係止溝
１５  巻線コイル
１６  コンデンサ
１７、１７Ａ  発振回路用端子片
１７‐１  圧入切欠き
１７‐２  固定片
１７‐３  固定切欠き
１７‐４  抜け止め用切欠き
１７‐５  係止片
１８  発振器
１９  全自動洗濯機
２０  外枠
２２  水受け槽
２３  脱水槽
２４  攪拌翼
２５  衣類投入口
２６  制御基板
２７  収納凹部
２８  トップカバー
３６  衣類投入口用蓋体
３７  収納カバー
３８  衣類投入口用蓋体の磁性体片
３９  係止開口
４０  出入開口
【図１】
2005155175.tif 000003
【図２】
2005155175.tif 000004
【図３】
2005155175.tif 000005
【図４】
2005155175.tif 000006
【図５】
2005155175.tif 000007
【図６】
2005155175.tif 000008
【図７】
2005155175.tif 000009
【図８】
2005155175.tif 000010
【図９】
2005155175.tif 000011
【図１０】
2005155175.tif 000012
【図１１】
2005155175.tif 000013
【図１２】
2005155175.tif 000014
【図１３】
2005155175.tif 000015
【図１４】
2005155175.tif 000016
【図１５】
2005155175.tif 000017
【図１６】
2005155175.tif 000018
【図１７】
2005155175.tif 000019
【図１８】
2005155175.tif 000020
【図１９】
2005155175.tif 000021
【図２０】
2005155175.tif 000022
【図２１】
2005155175.tif 000023
【図２２】
2005155175.tif 000024
【図２３】
2005155175.tif 000025
【図２４】
2005155175.tif 000026
【図２５】
2005155175.tif 000027
【図２６】
2005155175.tif 000028
【図２７】
2005155175.tif 000029
【図２８】
2005155175.tif 000030
【図２９】
2005155175.tif 000031
【図３０】
2005155175.tif 000032
【図３１】
2005155175.tif 000033
【図３２】
2005155175.tif 000034